(57)【要約】    【課題】壁際等を掃除する際の掃除作業性を向上し得る電気掃除機を提供することを課題とする。    【解決手段】電動送風機を内蔵する掃除機本体１と、一端側に掃除機本体１に接続される本体側接続管３を有するホース２と、ホース２他端側の手元側接続管４に接続される延長管５と、延長管５に接続される床用吸込具６とを備え、ホース２の手元側接続管４には、上方に把持部７を形成すると共に、下方に取っ手部11を形成する。または、手元側接続管４と延長管５との間に取っ手部31を有する補助パイプ32を接続する。【選択図】        図２
2006340739.tif 000002
【特許請求の範囲】
【請求項１】
電動送風機を内蔵する掃除機本体と、一端側に前記掃除機本体に接続される本体側接続管を有し、他端側に手元側接続管を有するホースと、該ホースの手元側接続管に接続される延長管と、該延長管に接続される床用吸込具とを備え、前記ホースの手元側接続管には、上方側に把持部を形成すると共に、下方側に取っ手部を形成したことを特徴とする電気掃除機。
【請求項２】
電動送風機を内蔵する掃除機本体と、一端側に前記掃除機本体に接続される本体側接続管を有すると共に、把持部を形成した手元側接続管を他端側に有するホースと、該ホースの手元側接続管に接続される延長管と、該延長管に接続される床用吸込具とを備え、前記手元側接続管と延長管との間に着脱自在に接続される補助接続管を設け、該補助接続管に取っ手部を形成したことを特徴とする電気掃除機。
【請求項３】
前記補助接続管を、取っ手部が下方側に位置するように接続したことを特徴とする請求項２記載の電気掃除機。
【請求項４】
前記補助接続管を、取っ手部が上方側に位置するように接続したことを特徴とする請求項２記載の電気掃除機。
【請求項５】
前記補助接続管を、取っ手部が下方側に位置する状態と、取っ手部が上方側に位置する状態とに選択的に接続可能に形成したことを特徴とする請求項２記載の電気掃除機。
【請求項６】
電動送風機を内蔵する掃除機本体と、一端側に前記掃除機本体に接続される本体側接続管を有すると共に、把持部を形成した手元側接続管を他端側に有するホースと、該ホースの手元側接続管に接続される延長管と、該延長管に接続される床用吸込具とを備え、前記手元側接続管に取っ手部を着脱自在に装着したことを特徴とする電気掃除機。
【請求項７】
前記取っ手部を、手元側接続管の下方側に位置するように装着したことを特徴とする請求項６記載の電気掃除機。
【請求項８】
前記取っ手部を、手元側接続管の上方側に位置するように装着したことを特徴とする請求項６記載の電気掃除機。
【請求項９】
前記取っ手部を、手元側接続管の下方側に位置する状態と、手元側接続管の上方側に位置する状態とに選択的に装着可能に形成したことを特徴とする請求項６記載の電気掃除機。
【請求項１０】
電動送風機を内蔵する掃除機本体と、一端側に前記掃除機本体に接続される本体側接続管を有すると共に、把持部を形成した手元側接続管を他端側に有するホースと、該ホースの手元側接続管に接続される延長管と、該延長管に接続される床用吸込具とを備え、前記延長管に取っ手部を着脱自在に装着したことを特徴とする電気掃除機。
【請求項１１】
前記取っ手部を、延長管の下方側に位置するように装着したことを特徴とする請求項１０記載の電気掃除機。
【請求項１２】
前記取っ手部を、延長管の上方側に位置するように装着したことを特徴とする請求項１０記載の電気掃除機。
【請求項１３】
前記取っ手部を、延長管の下方側に位置する状態と、接続管の上方側に位置する状態とに選択的に装着可能に形成したことを特徴とする請求項１０記載の電気掃除機。
【請求項１４】
前記取っ手部を、手元側接続管と延長管とに選択的に装着可能に形成したことを特徴とする請求項６又は１０記載の電気掃除機。
【請求項１５】
前記取っ手部には、前記延長管が接続される側に、手元側接続管と協働して、手元側接続管を任意の部所に仮保持するためのクリップが設けられていることを特徴とする請求項１、６または７記載の電気掃除機。
【請求項１６】
前記取っ手部には、前記床用吸込具に対向する側に、少なくとも手元側接続管および延長管の連結体を任意の部所に仮置きするための係止凹部が形成されていることを特徴とする請求項１、２、３、６、７、１０、１１または１４記載の電気掃除機。
【請求項１７】
前記係止凹部は互いに９０°に交差する２面を含むことを特徴とする請求項１６記載の電気掃除機。
【請求項１８】
前記係止凹部には、仮置き時に任意の部材を前記係止凹部との間で挟むためのクリップが備えられていることを特徴とする請求項１６または１７記載の電気掃除機。
【請求項１９】
前記取っ手部は、その一部が前記手元側接続管からホース側へ突出するように配置されていることを特徴とする請求項１、６または７記載の電気掃除機。
【請求項２０】
前記取っ手部の突出する部分には、ホースガイドが設けられていることを特徴とする請求項１９記載の電気掃除機。
【請求項２１】
前記取っ手部には、当該取っ手部を握ったことにより切り換わるスイッチが設けられていることを特徴とする請求項１〜２０のいずれかに記載の電気掃除機。
【請求項２２】
前記スイッチは、床用吸込具に設けられた回転ブラシの回転状態を切り換えるためのスイッチであることを特徴とする請求項２１記載の電気掃除機。
【発明の詳細な説明】
【技術分野】
【０００１】
本発明は、電気掃除機に関するものである。
【背景技術】
【０００２】
従来の電気掃除機においては、ホースの延長管側端部である手元側接続管を把持して掃除するのであるが、把持しやすさを考慮して、ホースの手元側接続管の上面側に把持部を形成し、把持部を握りやすく操作しやすい形状にすることにより、掃除作業性を向上するようにしていた。（特許文献１）
掃除に際して、壁際を掃除する際には、床用吸込具を壁面に押しつけた状態で、壁面に沿って横方向へ移動させる場合がある。この際、把持部を把持しただけでは、操作が重く、操作性が悪い問題がある。
【０００３】
また、高いところなどを掃除する際にも、把持部を把持しただけの状態では、安定が悪いため、操作しにくく、操作性が悪い問題がある。
【特許文献１】特開昭６３−３０９２３３号公報
【発明の開示】
【発明が解決しようとする課題】
【０００４】
本発明は、このような問題を解決する為になされたものであり、壁際等の清掃を行う際の操作性を向上し得る電気掃除機を提供しようとするものである。
【課題を解決するための手段】
【０００５】
上記課題を解決するための第１の電気掃除機は、電動送風機を内蔵する掃除機本体と、一端側に前記掃除機本体に接続される本体側接続管を有するホースと、該ホース他端側の手元側接続管に接続される延長管と、該延長管に接続される床用吸込具とを備え、前記ホースの手元側接続管には、上方側に把持部を形成すると共に、下方側に取っ手部を形成したことを特徴とする。
【０００６】
本発明の第２の電気掃除機は、電動送風機を内蔵する掃除機本体と、一端側に前記掃除機本体に接続される本体側接続管を有すると共に、把持部を形成した手元側接続管を他端側に有するホースと、該ホースの手元側接続管に接続される延長管と、該延長管に接続される床用吸込具とを備え、前記手元側接続管と延長管との間に着脱自在に接続される補助接続管を設け、該補助接続管に取っ手部を形成したことを特徴とする。
【０００７】
前記補助接続管を、取っ手部が下方側に位置するように接続することが好ましい。
前記補助接続管を、取っ手部が上方側に位置するように接続することが好ましい。
前記補助接続管を、取っ手部が下方側に位置する状態と、取っ手部が上方側に位置する状態とに選択的に接続可能に形成することが好ましい。
本発明の第３の電気掃除機は、電動送風機を内蔵する掃除機本体と、一端側に前記掃除機本体に接続される本体側接続管を有すると共に、把持部を形成した手元側接続管を他端側に有するホースと、該ホースの手元側接続管に接続される延長管と、該延長管に接続される床用吸込具とを備え、前記手元側接続管に取っ手部を着脱自在に装着したことを特徴とする。
【０００８】
前記取っ手部を、手元側接続管の下方側に位置するように装着することが好ましい。
前記取っ手部を、手元側接続管の上方側に位置するように装着することが好ましい。
前記取っ手部を、手元側接続管の下方側に位置する状態と、手元側接続管の上方側に位置する状態とに選択的に装着可能に形成することが好ましい。
本発明の第４の電気掃除機は、電動送風機を内蔵する掃除機本体と、一端側に前記掃除機本体に接続される本体側接続管を有すると共に、把持部を形成した手元側接続管を他端側に有するホースと、該ホースの手元側接続管に接続される延長管と、該延長管に接続される床用吸込具とを備え、前記延長管に取っ手部を着脱自在に装着したことを特徴とする。
【０００９】
前記取っ手部を、延長管の下方側に位置するように装着することが好ましい。
前記取っ手部を、延長管の上方側に位置するように装着することが好ましい。
前記取っ手部を、延長管の下方側に位置する状態と、接続管の上方側に位置する状態とに選択的に装着可能に形成することが好ましい。
前記取っ手部を、手元側接続管と延長管とに選択的に装着可能に形成することが好ましい。
【００１０】
前記第１または第３の電気掃除機において、取っ手部の延長管が接続される側に、手元側接続管と協働して、手元側接続管を任意の部所に仮保持するためのクリップが設けられていてもよい。
また、前記第１〜第４の各電気掃除機において、取っ手部には、床用吸込具に対向する側に、少なくとも手元側接続管および延長管の連結体を任意の部所に仮置きするための係止凹部が形成されていてもよい。
【００１１】
この係止凹部は、互いに９０°に交差する２面を含むことが好ましい。
さらに、前記係止凹部には、仮置き時に任意の部材を係止凹部との間で挟むためのクリップが備えられていてもよい。
また、前記第１および第３の電気掃除機において、取っ手部は、その一部が手元側接続管からホース側へ突出するように配置されていてもよい。
【００１２】
その場合に、取っ手部のホース側へ突出する突出部には、ホースガイドが設けられているのが好ましい。
さらに、この発明に係る各電気掃除機において、取っ手部には、当該取っ手部を握ったことにより切り換わるスイッチが設けられていてもよい。
前記スイッチは、床用吸込具に設けられた回転ブラシの回転状態を切り換えるためのスイッチであることが好ましい。
【発明の効果】
【００１３】
本発明の構成によれば、ホースの延長管側端部の把持部と取っ手部をそれぞれ把持して、両手で延長管を操作することができるので、壁際での横方向への移動や、高いところなども容易に扱うことができ、作業性を向上することができる等の効果を奏する。
【発明を実施するための最良の形態】
【００１４】
次に図面を参照しながら本発明を詳細に説明する。図1 は本発明の一実施形態の電気掃除機の右側面図、図２は壁際等の掃除状態を示す側面図、図３は壁面と家具の隙間等の掃除状態である床用吸込具が直立状態を示す側面図、図４は通常の掃除状態から床用吸込具が直立状態への移行途上を示す側面図、図５はホースの手元側接続管の右側面図、図６は床用吸込具の平面図で右に９０°回転された状態の図、図７は床用吸込具の右側面図、図８は床用吸込具の右側面からみた断面図、図９はカバー体の開放状態を示す床用吸込具の側面図、図１０は同床用吸込具の断面図、図１１は直立状態を示す床用吸込具の平面図、図１２は同床用吸込具の側面図、図１３は同床用吸込具の断面図である。
【００１５】
図１において、１は掃除機本体で、図示しないが、前方に集塵室、後方に電動送風機を内蔵する電動送風機室が形成されている。２は可撓性を有するホースで、一端側に前記掃除機本体１の接続口に着脱自在に接続される本体側接続管３を有すると共に、他端側に手元側接続管４を有している。５は前記ホース２の手元側接続管４に着脱自在に装着される延長管、６は前記延長管５に着脱自在に装着される床用吸込具である。
【００１６】
次に、前記手元側接続管４を、図５に基づいて詳述する。前記手元側接続管４の上面側には、把持部７が一体的に形成されている。前記把持部７は、接続管４と一体形成される下部材８と、下部材８の上面開口を覆い、下部材８にねじ等により固定されるカバー部材９とから構成され、下部材８とカバー部材９とで囲まれる空間に図示しない基板が収納されている。前記把持部７の前方位置には、基板に設けられたスイッチを操作する操作部10が形成され、把持部７を把持したまま操作部10によってスイッチを操作することにより、吸込力等を制御できるようになっている。
【００１７】
11は、前記手元側接続管４の下面側に配置された取っ手部で、ねじ等により固定されている。前記取っ手部11は、延長管５を外して手元側接続管４によって掃除を行う際に取っ手部11が掃除の邪魔になるのを防止するように、延長管５側の下方部分の延長管５側への突出を極力小さくした形状に形成されている。
前記手元側接続管４は、ホース２に対して回転可能に形成されており、掃除に伴って手元側接続管４をひねるなどの操作を行った際に、ホース２がねじれにくいように形成されている。
【００１８】
次に、図６から図１３に基づいて床用吸込具６について詳述する。床用吸込具６は、上ケース12と下ケース13から構成される本体ケース14と、本体ケース14後部の長手方向中央部に本体ケース14に対して左右方向に回動自在に支持される第１回動管15と、第１回動管15に枢支され、本体ケース14に対して上下方向に回動する第２回動管16とを有しており、第２回動管16が延長管５に着脱自在に接続されるようになっている。前記第１回動管15は、本体ケース14に対して左右方向に約９０°回動させた状態で、回動した状態を所定の保持力で維持する機構（図示せず）が設けられており、前記保持力以上の力で回動することにより、第１回動管15を回動することができるようになっている。
【００１９】
前記本体ケース14には、底面から前面にわたって吸込口17が形成されている。前記本体ケース14内部には、吸込口17に臨ませた回転ブラシ18が回転自在に枢支されており、該回転ブラシ18は電動機19により回動するようになっている。20は前記本体ケース14両側面に配設されるバンパーで、前記上ケース12と下ケース13の間に挟持固定されている。
前記本体ケース14底面には、第１回動管15より後方位置に後車輪21が回動自在に軸支されると共に、前部両側位置に、底面から前面にわたって起毛布22が貼着されており、床用吸込具６は、後車輪21と起毛布22により被掃除面上を移動するようになっている。尚、本実施形態では、起毛布22を用いたが、前車輪を用いてもよく、他の滑動手段を用いても良い。
【００２０】
23は前記吸込口17の前側部分を開閉するカバー体で、本体ケース14の前壁を構成している。前記カバー23体は、本体ケース14の両側に上下方向に回動可能に枢支されており、上方に回動した状態で、本体ケース14に形成された収納部24に収納されるようになっている。前記カバー体23は、図示しないバネなどの付勢手段により、前記吸込口17の前側部分を閉塞する方向に常時付勢されている。
【００２１】
前記カバー体23は、図８に示すごとく、上部が断面形状略円弧状に形成されると共に、下部に斜め前上方に突出する膨出部25が形成されており、上部の略円弧状部分が前記収納部24に収納されるようになっている。前記膨出部25には、膨出部25を覆うように図示しない起毛布が貼着されている。
26は前記膨出部25の略延長線上の本体ケース14幅方向両側位置に、カバー体23に回動自在に支持されるローラで、カバー体23が上方に回動した状態で、ローラ26の回転軸がほぼ垂直になるように、カバー体23の閉塞状態では、ローラ26の回転軸が傾斜するように支持されている。前記ローラ26は、外周部が前記膨出部25よりも前方に位置するようになっている。
【００２２】
而して、通常の掃除状態では、図１、図６から図８に示すごとく、カバー体23は付勢手段により下方へ回動した状態となり、吸込口17の前側部分はカバー体23により閉塞され、吸込口17の下側部分のみが開口している。従って、風量の損失が生じないので、吸込口17の下側部分では所望の風量が得られ、且つ回転ブラシ18の掻き取り効果も加わるため、被清掃面４００の掃除を効率よく行うことができる。取っ手部11は手元側接続管４の下面側に配設されているため、把持部７を把持して押し引き操作しても、取っ手部11が操作の邪魔になることはなく、使用勝手を損なうことはない。
【００２３】
一方、壁際を掃除する際には、図２、図９及び図１０に示すごとく、壁面Ｗに床用吸込具６の前面を押し当てる。そうすると、まず、カバー体23に取り付けられたローラ26が壁面Ｗに当接し、カバー体23が図８中反時計方向に回転しながら上方に持ち上げられ、図９及び図１０に示すごとく、吸込口17の前側部分が開放され、ローラ26が壁面Ｗに当接して、膨出部25と壁面Ｗとの間に間隔が保持される。
【００２４】
この状態では、回転ブラシ18を壁面Ｗに近接させることができ、壁際の塵埃を壁面Ｗの近傍まで除去することができる。しかも、一対のローラ26により膨出部25と壁面Ｗとの間に形成された隙間を介して床用吸込具６の前方側から空気を吸引することと相まって、一層壁際の塵埃を壁面Ｗの近傍まで効率よく除去することができる。
そして、壁面Ｗに床用吸込具６の前面を押し当てた状態で、床用吸込具６を横方向に移動させて壁際を掃除する。その際、起毛布22とローラ26が壁面Ｗに当接するため、床用吸込具６を横方向へ操作性よく移動させることができる。
【００２５】
壁面Ｗに床用吸込具６前面を押し当てた状態で、床用吸込具６を横方向へ移動させる際には、ホース２先端の手元側接続管４に形成された把持部７と取っ手部11とをそれぞれ手で把持して両手で横方向に移動させることができ、横方向への移動操作性を一層向上させることができる。
次に、壁面と家具、或いは家具と家具等との隙間を掃除する場合の操作を説明する。手元側接続管４の把持部７及び取っ手部11をそれぞれ手で把持し、取っ手部11が上方に位置するように上下反転するように回転させる。
【００２６】
図１、図３及び図４に示すごとく、手元側接続管４を使用者からみて左方向（反時計方向）に回転させる場合を例にとり説明する。図４に示すごとく、手元側接続管４を左方向（反時計方向）に約９０°回転させると、手元側接続管４の回転に伴い、延長管５も回転し、第１回動管15が左側に約９０°回転する。第１回動管15が回転すると、第２回動管16が回転し、それに伴って、図４に示すごとく、本体ケース14が平面視で反時計方向に回転する。
【００２７】
この状態から、手元側接続管４をさらに左方向（反時計方向）に回転させると、本体ケース14の後部が前端部（カバー体23側）を支点として上方へ持ち上げられていく。そして、手元側接続管４を１８０°回転させた状態では、図３及び図１１から図１３に示すごとく、カバー体23が開放し、本体ケース14の吸込口17前側部分を床面に対向させて直立した姿勢（直立姿勢）となる。この状態では、図１２に示すごとく、第２回動管16の延長方向に本体ケース14の長手方向が沿った状態となり、第１回動管15は、保持手段により本体ケース14に対してこの回動位置を保持するようになっている。
【００２８】
この状態で、床用吸込具６を壁面と家具との隙間等に挿入し、取っ手部11を把持して床用吸込具６を前後方向に移動させることにより壁面と家具との隙間等を掃除する。第１回動管15は保持手段により本体ケース14に対して本体ケース14の長手方向に沿った状態に保持されるので、床用吸込具６を前後方向に移動させても第１回動管15に対して本体ケース14が回動することがなく、操作性が損なわれることがない。
【００２９】
この状態では、起毛布22及びローラ26が床面に接し、床用吸込具６の移動性を向上させると共に、床面の傷付きを防止する。カバー体23が回動し、床面に対向する床用吸込具６の前方側に吸気口17が開口するので、壁面と家具との隙間のゴミ等を効率よく吸引することができる。また、ホース２に対して手元側接続管４を回動可能に形成しているので、通常の使用状態から手元側接続管４を約１８０°回転させてもホース２のよじれが防止され、使用勝手を損なうことがない。
【００３０】
また、高い場所等を掃除する際には、床用吸込具６を外した状態で、把持部７と取っ手部11とをそれぞれ把持して両手で延長管５を支えて操作することができ、安定した状態で操作することができ、操作性を向上することができる。
上記実施の形態では、手元側接続管４とは別体に形成した取っ手部11を手元側接続管４にねじ等にて固定したが、手元側接続管４に取っ手部11を一体形成してもよい。
【００３１】
図１４は、本発明の第２の実施形態を示し、取っ手部31を形成した補助パイプ32を、手元側接続管４と延長管５との間に着脱自在に装着できるように構成したものであり、補助パイプ32を手元側接続管４及び延長管５に接続した状態で、取っ手部31が下面側に位置するようになっている。
本実施形態においては、上記第１の実施形態と同様の作用効果に加え、取っ手部31が不要な場合には、必要に応じて補助パイプ32を取り外すことにより、取っ手部31が邪魔にならないようにすることができると共に、上記第１の実施形態に比べ、把持部７と取っ手部31との間隔を広くとることができるので、力を入れやすくなり、一層使用勝手を向上することができる。
【００３２】
図１５は本発明の第３の実施形態を示し、第２の実施形態と同様に、取っ手部33を形成した補助パイプ34を、手元側接続管４と延長管５との間に着脱自在に装着できるように構成したものであって、補助パイプ33を手元側接続管４及び延長管５を接続した状態で、取っ手部32が上面側に位置するようになっている。
本実施形態では、把持部７及び取っ手部33を共に上面側に位置させることにより、毛足の長い絨毯等を掃除する際などの大きな力を要する掃除等においても、把持部７及び取っ手部33をそれぞれ手で把持して両手で操作できるので、操作性よく掃除を行うことができる。
【００３３】
また、第２の実施形態においては、取っ手部31が下面側に位置するように補助パイプ32を接続するように構成し、第３の実施形態においては、第２実施形態とは逆に、取っ手部33が上面側に位置するように補助パイプ34を接続するように構成したが、補助パイプを、取っ手部が上面側に位置する状態と、下面側に位置する状態とに選択的に装着できるように構成しても良い。さらに、補助パイプを、取っ手部が側面側に位置する状態に装着できるように構成してもよく、この構成においては、通常の掃除の押し引き操作など、取っ手部が邪魔になる際には、補助パイプを取り外し、必要に応じて補助パイプを装着することで、壁際などの掃除作業性を向上させることができる。
【００３４】
図１６Ａ，Ｂは、それぞれ、第２の実施形態に係る補助パイプ３２単独の構成および第３の実施形態に係る補助パイプ３４の単独の構成を示す側面図である。
まず、図１６Ａを参照して、補助パイプ３２には取っ手部３１が下面側に位置するように一体的に形成されている。そして補助パイプ３２の手元側接続管４と接続される側には接続部４２が突出形成されている。接続部４２は補助パイプ３２の外形よりも一回り小さな外形を有し、その先端寄り（図１６Ａにおいて右寄り）にシール用のＯリング４３が周方向に嵌められている。手元側接続管４の先端側（図１６Ａにおいて左側）にはこの接続部４２が内嵌する孔が形成されている。
【００３５】
さらに、手元側接続管４に補助パイプ３２を接続したとき、手元側接続管４に備えられた電気回路と補助パイプ３２に備えられた回路とを接続するための接続ピン４４が設けられている。
補助パイプ３２の他端側（図１６Ａにおいて左側）には、図示しないが、接続される延長管５に備えられている上記接続部４２と同様の構成のものを受け入れる接続孔が設けられている。
【００３６】
図１６Ｂに示す補助パイプ３４も、図１６Ａに示す補助パイプ３２と同様の構成であり、同一部分には同一番号を付して重複説明は省略する。
この実施形態では、接続ピン４４等が存在することから、取っ手部３１が下面側に位置する補助パイプ３２と、取っ手部３３が上面側に位置する補助パイプ３４とをそれぞれ例示したが、接続ピン４４の配置や形状等を工夫することにより、前述したように、補助パイプから突出する取っ手部の位置を任意の位置にして接続可能な補助パイプを構成することもできる。
【００３７】
図１７及び図１８は本発明の第４の実施形態を示し、図１７は取っ手部36を延長管５に装着した状態を示す側面図、図１８は同断面図であり、本第４の実施形態は、延長管５の外周面に着脱自在に外嵌して装着されるリング状部35を有する取っ手部36を形成したもので、取っ手部36は延長管５に装着した状態で、延長管５の下面側に位置するようになっている。
【００３８】
本実施形態においても、必要に応じて取っ手部36を延長管５に装着することで、壁際等の移動性を向上させることができると共に、高いところなどの掃除作業性を向上させることができる。また、手元側接続管４に形成した把持部７と取っ手部36との間隔を広くとることができるので、力を入れやすくなり、操作性を向上させることができる。
尚、本実施形態では、取っ手部が延長管の下面側に位置するように構成したが、延長管の上面側に位置する状態と、下面側に位置する状態とに選択的に装着できるようにしても良い。また、取っ手部を、延長管の側面側に装着できるように構成しても良い。
【００３９】
図１９及び図２０は本発明の第５の実施形態を示し、図１９は取っ手部37を手元側接続管４に装着した状態を示す側面図、図２０は取っ手部37を延長管５に装着した状態を示す側面図であり、本第５の実施形態は、取っ手部37に係止部38を形成し、係止部38を、手元側接続管４の下面側に形成した被係止部39、又は、延長管５の下面側に形成した被係止部40に選択的に装着できるよう構成したものである。
【００４０】
本実施形態においては、取っ手部37を延長管５に装着することにより、手元側接続管４に形成した把持部７と取っ手部37との間隔を広くとることができるので、力を入れやすくなり、操作性を向上させることができる。また、取っ手部37を手元側接続管４に装着することにより、床用吸込具６を直立させた状態で、把持部７と略同じ位置に取っ手部37を位置させることができ、使用者が把持する高さが変わることがないので、使用勝手を損なうことがない等の効果を奏するものである。
【００４１】
尚、本実施形態においては、取っ手部37を手元側接続管４の下面側と延長管５の下面とに選択的に装着できるように構成したが、手元側接続管４の上面側、或いは延長管５の上面側にも装着できるようにしても良い。また、取っ手部を手元側接続管４の側面側、或いは延長管５の側面側に装着できるようにしても良い。
図２１は、本発明の第６の実施形態を示す側面図で、手元側接続管４部分のみを図示したものである。本実施形態に係る手元側接続管４には、下面側に取っ手部４５が突出形成されている。そして取っ手部４５の先端側（手元側接続管４に延長管が接続される側）にはクリップ４６が備えられている。クリップ４６は支点４７を中心に回動し、支点４７を中心に図において右回りに図示しないばねで弾力付勢されている。それゆえクリップ４６はその操作片４８を図において左方向に回動させ、挟持片４９と手元側接続管４の下面側との間を開いて、その開いた隙間を机の天板５０等に差し込むことにより、手元側接続管４とクリップ４６とによって天板５０を挟持することができる。そして図２１に示すように、延長管５を取り外した手元側接続管４を仮保持させることができる。
【００４２】
たとえば、桟や本棚等を清掃する場合、手元側接続管４から延長管５を取り外し、手元側接続管４の先端に小型ブラシ５１を取り付け、手元側接続管４の先端を用いて直接塵挨を吸い込むような使用方法がある。なお、小型ブラシ５１は、手元側接続管４の先端部に回動自在に装着されており、手元側接続管４の先端に延長管５を接続する場合は、小型ブラシ５１を手元側接続管４の下方に位置するように回動させ、小型ブラシ５１を取り外さなくても延長管５が接続できる構成が公知である。このように、小型ブラシ５１を利用して、手元側接続管４の先端で塵挨を吸い込む場合等において、清掃を一時中断したい場合等に、取っ手部４５にクリップ４６が備えられていると、手元側接続管４の仮保持が可能であって、使い勝手が向上する。
【００４３】
図２２は、本発明の第７の実施形態を示し、手元側接続管４および延長管５の連結体を任意の部所に仮置きするための係止凹部５２が取っ手部５３に形成された構成である。取っ手部５３自体は、手元側接続管４の下面側に突出形成されている。取っ手部５３は手元側接続管４と一体的に形成されていてもよいし、手元側接続管４に対して着脱可能に装着されていてもよい。
【００４４】
取っ手部５３の前方側には互いに９０°で交差する第１面５４および第２面５５を有する係止凹部５２が形成されている。本実施形態では第２面５５には傷防止の起毛布５６が貼着されている。図示しないが第１面５４にも起毛布が貼り付けられていても構わない。  清掃を一時中断するときに、従来なら手元側接続管４および延長管５の連結体を床面等に置かなければならなかったが、本実施形態では、係止凹部５２を机の天板５０の隅などに係止させることにより、手元側接続管４および延長管５の連結体を清掃時に使用していたのと同様の、手元側接続管４が斜め上方に向いた状態でそのまま仮置きすることができる。
【００４５】
なお図示では延長管５の先端に床用吸込具が接続されていないが、勿論床用吸込具が延長管５の先端に連結されていてもよい。
図２３は、本発明の第８の実施形態を示す。図２３に示す実施形態の特徴は、図２２に示した第７の実施形態に加えて、クリップ５６が備えられていることである。クリップ５６は支点５７を中心に回動可能で、図示しないばねによって常時図２３において左回りに弾力付勢されている。そして操作片５８を操作し、挟持片５９と係止凹部５２の第２面５５との間で、天板５０を挟むことができる。よって第７の実施形態に比べて、手元側接続管４および延長管５の連結体を仮置きした場合に、その仮置きが安定するという利点がある。
【００４６】
図２４は、本発明の第９の実施形態を示す。本実施形態に係る手元側接続管４にはその下面側に取っ手部６０が備えられている。手元側接続管４と取っ手部６０とは一体的に形成されたものでもよいし、手元側接続管４に対して取っ手部６０が着脱可能に装着されていてもよい。
本実施形態の特徴は、取っ手部６０は、その後端６１（ホース２に臨む側）が、手元側接続管４の後端４１（ホース２が取り付けられた側）よりも後方（ホース２側）へ突出していることである。さらに、取っ手部６０の後端６１は、丸みを帯びた湾曲面とされ、ホース２が接する際にホース２を受け止めてガイドするホースガイドとして機能するようにされている。
【００４７】
かかる構成によれば、取っ手部６０を、把持部７と手元側接続管４の軸線方向に対し１８０°隔てた上下ほぼ同じ位置に配置することができる。これにより、把持部７および取っ手部６０を握って延長管５およびその先端に取り付けられた床用吸込具６を操作しやすく、清掃のし易さが向上するという利点がある。
さらに、取っ手部６０の後端６１はホースガイドとして機能し、ホース２が手元側接続管４の後端４１から直交方向に折れ曲がるのを防止することができる。すなわち、手元側接続管４の後端４１から延び出したホース２は、経年変化に伴い後端４１から下方へ折れ曲がり、ホース２の破れが発生することがある。この実施形態では、取っ手部６０の後端６１が下方へ折れ曲がろうとするホース２の折れ曲がりを阻止し、ホース２と後端４１との接続部分において、経年変化によってもホースが劣化しにくい構成とすることができる。
【００４８】
図２５は、本発明の第１０の実施形態を示す。図２５Ａは、手元側接続管４の下面に取っ手部６２が備えられており、取っ手部６２には、取っ手部６２を把持した際に自然にオンするスイッチ６３が設けられている。スイッチ６３は取っ手部６２の外表面に配置されている。
図２５Ｂも、図２５Ａと同様の構成であるが、スイッチ６３が取っ手部６２の内周面側に配置された例が示されている。いずれの場合も、取っ手部６２を握ったとき、その握る行為に伴ってスイッチ６３がオンされるものである。
【００４９】
図２６は、図２５に示す取っ手部６２付の手元側接続管４を用いた場合の電気掃除機の電気回路図の一例を示す図である。
電気掃除機には、掃除機本体１に内蔵された制御基板６４が備えられており、制御基板６４にはプラグ６５を商用電源に接続することにより、電源が供給される。制御基板６４には床用吸込具６に設けられた回転ブラシ１８（図１０参照）を回転させるための電動機１９が内蔵されていて、電動機１９には安全スイッチとしてのマイクロスイッチ６６が直列に接続されている。
【００５０】
さらに、手元側接続管４には操作基板６７が内蔵されており、当該操作基板に設けられたスイッチを操作することにより、吸引力等を制御できるようになっている。
そして図２５に示す実施形態では、操作基板６７に接続されたスイッチ６３が、取っ手部６２を握ることによりオンするように構成されている。このスイッチ６３はたとえば取っ手部６０を握ったときに、床用吸込具６の電動機１９の回転を禁止するための安全スイッチとして機能する構成になっている。あるいは、スイッチ６３がオンすることにより、床用吸込具６の電動機１９の回転速度が低速になるように切り換わるスイッチであってもよい。
【００５１】
こうすることにより、取っ手部６２を握って清掃する場合は、床用吸込具６に備えられた回転ブラシが回転しないか、その回転速度が低速になる。通常、取っ手部６２を握って清掃する場合は、把持部７も一緒に握り、床用吸込具６を壁に沿って這わせたり、高い所に向けたりすることが考えられる。このような場合に、スイッチ６２の働きで、電動機１９の回転が停止したり、低速回転になることによって、回転ブラシが回転しなかったり、低速になるので、清掃時の安全性がより向上した構成となる。
【００５２】
また、上述した各実施形態においては、取っ手部として円弧状の形状を図示したが、把持部と同様の形状に形成してもよく、さらに他の形状であっても良い。
【図面の簡単な説明】
【００５３】
【図１】本発明の一実施形態の電気掃除機の側面図である。
【図２】同壁際等の掃除状態を示す側面図である。
【図３】同壁面と家具の隙間等の掃除状態である床用吸込具の直立状態を示す側面図である。
【図４】通常の掃除状態から床用吸込具の直立状態への移行途上を示す側面図である。
【図５】ホースの手元側接続管の側面図である。
【図６】床用吸込具の平面図である。
【図７】床用吸込具の側面図である。
【図８】床用吸込具の断面図である。
【図９】カバー体の開放状態を示す床用吸込具の側面図である。
【図１０】同床用吸込具の断面図である。
【図１１】直立状態を示す床用吸込具の平面図である。
【図１２】同床用吸込具の側面図である。
【図１３】同床用吸込具の断面図である。
【図１４】本発明の第２の実施形態を示す側面図である。
【図１５】本発明の第３の実施形態を示す側面図である。
【図１６】Ａ，Ｂは、それぞれ、第２の実施形態に係る補助パイプ３２単独の構成および第３の実施形態に係る補助パイプ３４の単独の構成を示す側面図である。
【図１７】本発明の第４の実施形態を示す側面図である。
【図１８】同断面図である。
【図１９】本発明の第５の実施形態の取っ手部を手元側接続管に装着した状態を示す側面図である。
【図２０】同取っ手部を延長管に装着した状態を示す側面図である。
【図２１】本発明の第６の実施形態を示す側面図で、手元側接続管４部分のみが示されている。
【図２２】本発明の第７の実施形態を示し、手元側接続管４および延長管５の連結体を任意の部所に仮置きするための係止凹部５２が取っ手部５３に形成された構成図である。
【図２３】本発明の第８の実施形態を示す。
【図２４】本発明の第９の実施形態を示す。
【図２５】本発明の第１０の実施形態を示す。
【図２６】第１０の実施形態に係る手元側接続管４を用いた場合の電気掃除機の電気回路図の一例を示す図である。
【符号の説明】
【００５４】
１      掃除機本体
２      ホース
４      手元側接続管
５      延長管
６      床用吸込具
７      把持部
１１      取っ手部
１４      本体ケース
１５      第１回動管
１６      第２回動管
１７      吸込口
１８      回転ブラシ
２２      起毛布
２３      カバー体
２６      ローラ
４５      取っ手部
４７      クリップ
５２      係止凹部
５３      取っ手部
５６      クリップ
６０      取っ手部
６２      取っ手部
６３      スイッチ
【図１】
2006340739.tif 000003
【図２】
2006340739.tif 000004
【図３】
2006340739.tif 000005
【図４】
2006340739.tif 000006
【図５】
2006340739.tif 000007
【図６】
2006340739.tif 000008
【図７】
2006340739.tif 000009
【図８】
2006340739.tif 000010
【図９】
2006340739.tif 000011
【図１０】
2006340739.tif 000012
【図１１】
2006340739.tif 000013
【図１２】
2006340739.tif 000014
【図１３】
2006340739.tif 000015
【図１４】
2006340739.tif 000016
【図１５】
2006340739.tif 000017
【図１６】
2006340739.tif 000018
【図１７】
2006340739.tif 000019
【図１８】
2006340739.tif 000020
【図１９】
2006340739.tif 000021
【図２０】
2006340739.tif 000022
【図２１】
2006340739.tif 000023
【図２２】
2006340739.tif 000024
【図２３】
2006340739.tif 000025
【図２４】
2006340739.tif 000026
【図２５】
2006340739.tif 000027
【図２６】
2006340739.tif 000028